(57)【要約】      （修正有）【課題】窓開口部にカーテンレールやブラインドを設ける場合、室内側からカーテンレールやブラインドの取付具が見えないように構成し、結露が生じ難く、レール音も快適であり、さらには軽量であって施工性の良いカーテンレールボックス兼用ブラインドボックスを提供する。【解決手段】窓開口部１０の上方の壁面又は天井等の躯体に直付け又は金具を介して固定する天面板部２と該天面板部の室内側端部から垂下した形状のカバー部５とを有するボックス１であって、該ボックスの天面板部２の下面にはカーテンレール３又はブラインドの取付具を設ける一方、該ボックスのカバー部の下端部には窓側を向く係止用突起７を形成し、該ボックスの天面板部の下面とカバー部の窓側に設けた係止用突起との間に、該ボックスのカバー部の垂下方向に沿って取り付けられる合成樹脂製の前垂れ部材４の上端と該前垂れ部材の室内側に突出形成した係止突起とを挟持した。【選択図】図１
0003187060.tif 000002
【実用新案登録請求の範囲】
【請求項１】
窓開口部の上方の壁面又は天井等の躯体に直付け又は金具を介して固定する天面板部と該天面板部の室内側端部から垂下した形状のカバー部とを有するボックスであって、合成樹脂によって形成された該ボックスの天面板部の下面にはカーテンレール又はブラインドの取付具を設ける一方、該ボックスのカバー部の下端部には窓側を向く係止用突起を形成し、該ボックスの天面板部の下面とカバー部の窓側に設けた係止用突起との間に、該ボックスのカバー部の垂下方向に沿って取り付けられる合成樹脂製の前垂れ部材の上端と該前垂れ部材の室内側に突出形成した係止突起とを挟持した状態で固定し、該前垂れ部材の下端部の室内側には天井板を係止する天井係止片を形成したことを特徴とするカーテンレールボックス兼用ブラインドボックス。
【請求項２】
ボックスの端部を形成する小口に小口キャップを取り付けるために、合成樹脂製による小口キャップの端部に沿って形成された差込片を前垂れ部材に形成した差込口に差し込む構成としたことを特徴とする請求項１記載のカーテンレールボックス兼用ブラインドボックス。
【請求項３】
前垂れ部材の対向位置に相当する壁面側にボックスの窓側の空間をカバーする窓側カバー部材を設けたことを特徴とする請求項１又は２記載のカーテンレールボックス兼用ブラインドボックス。
【考案の詳細な説明】
【技術分野】
【０００１】
本考案は、住宅等の窓開口部に設けるカーテンレールとブラインドボックスを兼用する構造のカーテンレールボックス兼用ブラインドボックスに関する。
【背景技術】
【０００２】
近年において、窓開口部にカーテンやブラインドを設ける場合、室内側からカーテンレールやブラインドの取付具が見えないようにするため、カーテンレール又はブラインドの取付具を窓開口部の天井側に設けたボックス内に収納することが行われている。
【０００３】
その例として、特許文献１に記載されているカーテンレールボックスについて説明する。このカーテンレールボックスは、室内の鉛直な壁面にブラケット金具をビスで固定すると共に、このブラケット金具にカーテンレールの水平をなす支持片を複数のビスで固定するようにしたものである。また、支持片の手前側（室内側）端部に、支持片に設けたレール部よりも下方に延在するカバー部を設け、このカバー部でレール部を覆うことによって、外観を向上するようにしている。
【０００４】
ところで、上記のカーテンレールボックスは合成樹脂によって形成されているが、ブラケット金具は金属によって形成されている。このため、ブラケット金具に結露が生じやすく、その結露が室内側へ流下したり、ブラケット金具の周辺にカビが発生しやすいという衛生上の問題が生じる。
【０００５】
また、最近のカーテンレールボックスは、一般的に、アルミ押出成形によって形成した製品が多く、そのような製品もまた結露が生じやすい。そのため、衛生上の問題や経年変化の問題、さらにはカビの発生により定期的な清掃が必要になるというメンテナンスの問題があった。なお、カーテンレールをアルミ押出成形等の金属で構成した場合、ランナーがカーテンレールを走行する際に金属音が発生するため、病院等においては、レール音が不快な騒音になるという問題があった。
【０００６】
さらに、室内の窓開口部には、カーテンだけではなく、ブラインドを設ける場合があり、カーテン或いはブラインドの取付け仕様によっては、室内側からカーテンレールやブラインド等の取付具が見える場合がある。このため、そのようなカーテンレールや取付具が室内側から見えないようにすることで、美観的にも優れたカーテンレールボックス、或いはブラインドボックスの構成とすることが望まれていた。
【先行技術文献】
【特許文献】
【０００７】
【特許文献１】実開昭６２−１４１３８７号公報
【考案の概要】
【考案が解決しようとする課題】
【０００８】
本考案は上記のような事情に鑑みてなされたものであり、室内の窓開口部にカーテンやブラインドを設ける場合、室内側からカーテンレールやブラインドの取付具が見えないように構成し、且つ結露が生じ難く、レール音もまた快適であり、さらには軽量であって施工性の良いカーテンレールボックス兼用ブラインドボックスを提供することを目的とする。
【課題を解決するための手段】
【０００９】
上記の目的を達成するために、本考案における請求項１のカーテンレールボックス兼用ブラインドボックスは、窓開口部の上方の壁面又は天井等の躯体に直付け又は金具を介して固定する天面板部と該天面板部の室内側端部から垂下した形状のカバー部とを有するボックスであって、合成樹脂によって形成された該ボックスの天面板部の下面にはカーテンレール又はブラインドの取付具を設ける一方、該ボックスのカバー部の下端部には窓側を向く係止用突起を形成し、該ボックスの天面板部の下面とカバー部の窓側に設けた係止用突起との間に、該ボックスのカバー部の垂下方向に沿って取り付けられる合成樹脂製の前垂れ部材の上端と該前垂れ部材の室内側に突出形成した係止突起とを挟持した状態で固定し、該前垂れ部材の下端部の室内側には天井板を係止する天井係止片を形成したことを特徴とする。
【００１０】
また、本考案における請求項２のカーテンレールボックス兼用ブラインドボックスは、請求項１において、ボックスの端部を形成する小口に小口キャップを取り付けるために、合成樹脂製による小口キャップの端部に沿って形成された差込片を前垂れ部材に形成した差込口に差し込む構成としたことを特徴とする。
【００１１】
さらに、本考案における請求項３のカーテンレールボックス兼用ブラインドボックスは、前垂れ部材の対向位置に相当する壁面側にボックスの窓側の空間をカバーする窓側カバー部材を設けたことを特徴とする。
【考案の効果】
【００１２】
本考案のカーテンレールボックス兼用ブラインドボックスは、住宅や病院等の窓開口部に設けるカーテンやブラインドの取り付け用ボックスとして使用可能である。このボックスをカーテンレールボックスとして使用する場合、ボックスの天面板部の下面にカーテンレールを設けた構成とする。また、このボックスをブラインドボックスとして使用する場合、天面板部の下面にカーテンレールを設けずにフラットな形状とし、この天面板部の下面に適宜のブラインド用取付具を設けた構成とする。
【００１３】
上記のいずれの構成においても、構成部材であるボックス、前垂れ部材、さらには小口キャップの全てが合成樹脂製により形成されているため、従来の問題であった結露が生じ難く、さらには軽量であって施工性の良いカーテンレールボックス兼用ブラインドボックスとして使用することが可能となる。
【００１４】
また、本考案をカーテンレールボックスとして構成した場合、樹脂製レールに樹脂製ランナーを組み合わせて使用することにより、ランナーの走行音が心地良い響きとなるため、病院等の公共施設の利用にも好適するものとなる。
【００１５】
さらに、本考案のカーテンレールボックス兼用ブラインドボックスは、ボックスの端部から垂下したカバー部に前垂れ部材を取り付けることによって、ボックスの深さを調整することが可能である。このため、高さの異なる数種類の前垂れ部材を形成し、カーテンレールやブラインドの取付具の仕様によって高さの異なる前垂れ部材を交換して取り付けることができるため、室内側からボックス内のカーテンレールやブラインドの取付具が見えない状態となり、美観的にも良好なカーテンレールボックス兼用ブラインドボックスを構成することが可能となる。
【００１６】
さらに、本考案においては、ボックスの端部を形成する小口に小口キャップを取り付けるために、合成樹脂製による小口キャップの端部に沿って形成された差込片を前垂れ部材に形成した差込口に差し込む構成とすることにより、ボックスの端部を簡単且つ綺麗な閉塞状態に仕上げることが可能となる。
【図面の簡単な説明】
【００１７】
【図１】本考案をカーテンレールボックスとして構成した実施例であって、カーテンレールボックスを壁面に取り付けたブラケットに固定した例を示す斜視図である。
【図２】本考案のボックスと前垂れ部材の分解斜視図であり、（ａ）はカーテンレールボックスを示す斜視図、(ｂ)はブラインドボックスを示す斜視図、(ｃ)は前垂れ部材を示す斜視図である。
【図３】本考案をカーテンレールボックスとして構成した実施例を示すボックスと長尺の前垂れ部材の側面図であり、（ａ）は取付け前の分解状態を示す図、(ｂ)は取り付け後の状態を示す図である。
【図４】本考案をカーテンレールボックスとして構成した実施例を示すボックスと短尺の前垂れ部材の側面図であり、（ａ）は取付け前の分解状態を示す図、(ｂ)は取り付け後の状態を示す図である。
【図５】本考案をブラインドボックスとして構成した実施例を示すボックスと長尺の前垂れ部材の側面図であり、（ａ）は取付け前の分解状態を示す図、(ｂ)は取り付け後の状態を示す図である。
【図６】本考案をブラインドボックスとして構成した実施例を示すボックスと短尺の前垂れ部材の側面図であり、（ａ）は取付け前の分解状態を示す図、(ｂ)は取り付け後の状態を示す図である。
【図７】本考案の実施例に使用する小口キャップを示す図であり、（ａ）は部分斜視図、(ｂ)は上面図、(ｃ)は側面図、(ｄ)は正面図、(ｅ)は側面図、(ｆ)は底面図である。
【図８】本考案をカーテンレールボックスとして構成した実施例であって、（ａ）は小口に小口キャップを取付ける前の状態を示す斜視図であり、(ｂ)は小口に小口キャップを取付けた後の状態を示す斜視図である。
【図９】本考案をカーテンレールボックスとして構成した実施例であって、カーテンレールボックスを天井に取り付けた吊り金具に固定した例を示す斜視図である。
【考案を実施するための形態】
【００１８】
以下、本考案の実施形態について図面を参照しながら説明する。
【実施例】
【００１９】
本実施例のカーテンレールボックス兼用ブラインドボックスは、住宅や病院等の窓開口部１０に設けるカーテンやブラインドの取り付け用ボックスとして使用可能であり、図２（ａ）に示すように、ボックス１の天面板部２の下面にカーテンレール３を設けた構成とすることにより、カーテンレールボックス１Ａとして使用することが可能である。また、図２(ｂ)に示すように、ボックス１の天面板部２の下面にカーテンレール３を設けずにフラットな状態とし、この天面板部２の下面に適宜のブラインド用取付具（不図示）を設けた構成とすることにより、ブラインドボックス１Ｂとして使用可能である。
【００２０】
本実施例のカーテンレールボックス兼用ブラインドボックスは、構成材料として用いたボックス１、前垂れ部材４、さらには後述する小口キャップ１７が、合成樹脂材料として、例えば硬質樹脂低発泡材により形成されているため、結露が生じ難く、軽量であって施工性の良いカーテンレールボックス兼用ブラインドボックスとして使用することが可能となる。
【００２１】
また、図１に示すカーテンレールボックス１Ａは、その本体を構成するボックス１の水平部を形成する天面板部２と該天面板部２の室内側端部から垂下したカバー部５とから形成され、その長さは、窓開口部１０の幅等によって設定することが可能である。
【００２２】
このような本実施例のカーテンレールボックス１Ａは、サッシ１１等を設けた窓開口部１０の上方の壁面１２に複数のブラケット１３をネジ１４等で固定し、各ブラケット１３の下面に合板や合成樹脂板等による支持板２０をネジや接着剤等で固定すると共に、該支持板２０にボックス１の天面板部２をネジや接着剤等で固定することによって取り付ける。なお、カーテンレールボックス１Ａを壁面１２や不図示の天井等の躯体に取り付ける方法は、上記のように壁面１２に取り付けたブラケット１３を用いるほか、天井等に直付けしたり、図９に示すように、不図示の天井から吊り下げた吊りボルト２３ａを有する天井吊り金具２３に支持板２０を介してカーテンレールボックス１Ａを固定するようにしてもよい。これは、後述するブラインドボックス１Ｂを取付ける場合も同様であり、壁面１２又は天井等の躯体に直付け又は上記のブラケット１３や天井吊り金具２３等の金具によりブラインドボックス１Ｂを固定することが可能である。
【００２３】
また、本実施例のカーテンレールボックス１Ａは、図２(ａ)に示すように、天面板部２の下面にボックス１と一体成形で硬質樹脂低発泡材による複数のカーテンレール３が形成してあり、この樹脂製レールに樹脂製ランナー６（図１参照）を組み合わせて使用することにより、ランナー６の走行音が静かで、心地良い響きを発するものとなる。
【００２４】
さらに、図１に示すように、ボックス１のカバー部５の下端部には窓側を向く係止用突起７を形成してあり、ボックス１の天面板部２の下面とカバー部５の窓側に設けた係止用突起７との間に前垂れ部材４を取付ける構成としている。
【００２５】
この前垂れ部材４は、上記のように硬質樹脂低発泡材で形成され、図２(ｃ)に示すように、室内側に突出する複数の突条部８や、その突条部８を延長して下方に折り曲げることによって端部に形成した差込口９や、前垂れ部材４の下端部の室内側に突出した天井係止片１５を形成してあり、窓側は平面状態に形成している。
【００２６】
このような前垂れ部材４は、図１に示すように、ボックス１の天面板部２の下面とカバー部５の窓側に設けた係止用突起７との間に、上記の前垂れ部材４の上端４ｃと該前垂れ部材４の室内側に突出形成した突条部８とを挟持することによって固定することが可能である。また、この前垂れ部材４の下端部の室内側に形成した天井係止片１５に天井板１６を上載するようにして係止することが可能である。
【００２７】
上記のように、ボックス１の端部から垂下した形状のカバー部５に前垂れ部材４を取り付けることによって、カーテンレールボックス１Ａ、及びブラインドボックス１Ｂのいずれも、ボックス１の深さを調整することが可能である。このため、予め、高さの異なる数種類の前垂れ部材４を形成しておくことにより、カーテンレール３やブラインドの取付具（不図示）の仕様によって前垂れ部材４を交換して取り付けることが可能となる。
【００２８】
そのような前垂れ部材４の例として、図３（ａ）及び(ｂ)に示すように、高さ方向に長尺の前垂れ部材４ａを形成し、この前垂れ部材４ａをカーテンレールボックス１Ａに取り付けることも可能である。また、図４（ａ）及び(ｂ)に示すように、高さ方向に短尺の前垂れ部材４ｂを形成し、この前垂れ部材４ｂをカーテンレールボックス１Ａに取付けることも可能である。
【００２９】
さらに、図５（ａ）及び(ｂ)に示すように、ブラインドボックス１Ｂに高さ方向に長尺の前垂れ部材４ａを取り付けることも可能である。また、図６（ａ）及び(ｂ)に示すように、ブラインドボックス１Ｂに高さ方向に短尺の前垂れ部材４ｂを取付けることも可能である。
【００３０】
一方、図１に示すように、上記の前垂れ部材４の対向位置に相当する壁面側にボックス１の窓側の空間をカバーする窓側カバー部材２２を設けることにより、室内から見た窓側の美観を良好にすることが可能となる。本実施例において、この窓側カバー部材２２は、ボックス１の上面に設けた支持板２０の後端から、その下方の窓枠部材２１の端部に至るまでの空間をカバーするものである。この窓側カバー部材２２は、図１に示すプラスターボードを用いたり、図９に示す合成樹脂板を用いて形成し、図１に示すように窓側カバー部材２２の下端を窓枠部材２１に形成した端部突出片２１ａの段下に係止するか、または図９に示すように窓側カバー部材２２の下端を窓枠部材２１の端部突出片２１ａに上載して収まりを良好にし、室内側からの美観が良好となるようにしたものである。
【００３１】
さらに、本実施例においては、図８（ａ）及び(ｂ)に示すように、硬質樹脂低発泡材によって形成した小口キャップ１７の端部に沿って複数の差込片１８を形成し、各差込片１８を前垂れ部材４に形成した差込口９に差し込む構成としている。このような構成において、前垂れ部材４の上下の差込口９の高さと、小口キャップ１７の各差込片１８との高さを合致するように設定する必要がある。なお、小口キャップ１７の下端には、水平状に形成した差込片１８ａが形成され（図７(ａ)〜(ｆ)参照）、この差込片１８ａを前垂れ部材４の天井係止片１５に形成した溝形状の差込口１５ａに差し込むようにしている。
【００３２】
また、図８（ａ）及び(ｂ)に示すように、小口キャップ１７の下端部に前垂れ部材４の天井係止片１５と同様に突出した形状の下端突出部１９を形成している。このような構成により、小口キャップ１７の差込片１８、１８ａを前垂れ部材４の差込口９、１５ａに差し込んだ状態で、小口キャップ１７の下端突出部１９が前垂れ部材４の天井係止片１５と合致することにより、小口キャップ１７の取付け後の外観を綺麗に仕上げることが可能となる。
【産業上の利用可能性】
【００３３】
本考案のカーテンレールボックス兼用ブラインドボックスは、室内の窓開口部にカーテンやブラインドを設ける場合、室内側からカーテンレールやブラインドの取付具が見えないように構成し、且つ結露が生じ難く、レール音もまた快適であり、さらには軽量であって施工性の良いカーテンレールボックス兼用ブラインドボックスとして利用可能である。
【符号の説明】
【００３４】
１  ボックス
１Ａ  カーテンレールボックス
１Ｂ  ブラインドボックス
２  天面板部
３  カーテンレール
４  前垂れ部材
４ａ  長尺の前垂れ部材
４ｂ  短尺の前垂れ部材
４ｃ  前垂れ部材の上端
５  カバー部
６  ランナー
７  係止用突起
８  突条部
９  差込口
１０  窓開口部
１１  サッシ
１２  壁面
１３  ブラケット
１４  ネジ
１５  天井係止片
１５ａ  差込口
１６  天井板
１７  小口キャップ
１８  差込片
１８ａ  差込片
１９  下端突出部
２０  支持板
２１  窓枠部材
２１ａ  端部突出片
２２  窓側カバー部材
２３  天井吊り金具
２３ａ  吊りボルト
【図１】
0003187060.tif 000003
【図２】
0003187060.tif 000004
【図３】
0003187060.tif 000005
【図４】
0003187060.tif 000006
【図５】
0003187060.tif 000007
【図６】
0003187060.tif 000008
【図７】
0003187060.tif 000009
【図８】
0003187060.tif 000010
【図９】
0003187060.tif 000011